(57)【要約】【課題】内蔵されている機能を有効に利用させる。【解決手段】電子辞書1は、表示部４０と、各見出し語に対し、テキストを含む説明情報を対応付けてなる辞書データベース８２０を記憶するフラッシュＲＯＭ８０と、辞書データベース８２０における見出し語のうち、ユーザ操作に基づいて指定される指定見出し語の説明情報を当該辞書データベース８２０から検索して表示させるとともにユーザによる学習を補助する複数の学習補助機能を実行するＣＰＵ２０と、各学習補助機能の使用数を記憶する使用数記憶テーブル８３とを備える。ＣＰＵ２０は、何れかの学習補助機能の使用割合が所定の閾値を超えた場合に、ユーザの注意を喚起する旨のメッセージを表示させる。【選択図】図６
2011118718.tif 000002
【特許請求の範囲】
【請求項１】
表示手段と、
各見出し語に対し、テキストを含む説明情報を対応付けてなる辞書情報を記憶する辞書記憶手段と、
前記辞書情報における見出し語のうち、ユーザ操作に基づいて指定される指定見出し語の説明情報を当該辞書情報から検索して表示させる説明情報表示制御手段と、
ユーザによる学習を補助する複数の学習補助機能を実行する学習補助機能実行手段と、
各学習補助機能の使用数を記憶する使用数記憶手段と、
前記複数の学習補助機能のうち、何れかの学習補助機能の使用割合が所定の閾値を超えた場合に、ユーザの注意を喚起する旨のメッセージを前記表示手段に表示させる報知手段と、
を備えることを特徴とする電子機器。
【請求項２】
請求項１記載の電子機器において、
前記辞書記憶手段は、
複数種類の前記辞書情報を記憶しており、
前記説明情報表示制御手段は、
ユーザ操作に基づいて前記複数種類の辞書情報のうち、何れかの辞書情報を検索対象に設定する辞書設定手段を有するとともに、
前記検索対象の辞書情報における見出し語のうち、前記指定見出し語の説明情報を当該検索対象の辞書情報から検索して表示させ、
前記使用数記憶手段は、
各辞書情報について検索に使用された回数を記憶する辞書使用数記憶手段を有し、
前記報知手段は、
前記複数の辞書情報のうち、何れかの辞書情報の使用割合が所定の閾値を超えた場合に、ユーザの注意を喚起する旨のメッセージを前記表示手段に表示させることを特徴とする電子機器。
【請求項３】
請求項１または２記載の電子機器において、
前記辞書記憶手段は、
複数種類の前記辞書情報を記憶しており、
前記辞書情報には、各見出し語に対し、当該見出し語の用例が対応付けて記憶されており、
前記複数の学習補助機能は、
前記表示手段に説明情報の表示されている見出し語の用例をユーザ操作に基づいて前記表示手段に表示させる用例表示機能と、
前記表示手段に表示されたテキスト中の単語のうち、ユーザ操作に基づいて指定される単語に対応する見出し語を、前記複数種類の辞書情報のうち、ユーザ指定の辞書情報から読み出し、読み出した見出し語の説明情報を前記表示手段に表示させるジャンプ検索機能と、
を有することを特徴とする電子機器。
【請求項４】
表示手段を有するコンピュータに、
各見出し語に対し、テキストを含む説明情報を対応付けてなる辞書情報を記憶する辞書記憶機能と、
前記辞書情報における見出し語のうち、ユーザ操作に基づいて指定される指定見出し語の説明情報を当該辞書情報から検索して表示させる説明情報表示制御機能と、
ユーザによる学習を補助する複数の学習補助機能と、
各学習補助機能の使用数を記憶する使用数記憶機能と、
前記複数の学習補助機能のうち、何れかの学習補助機能の使用割合が所定の閾値を超えた場合に、ユーザの注意を喚起する旨のメッセージを前記表示機能に表示させる報知機能と、
を実現させることを特徴とする情報表示プログラム。
【発明の詳細な説明】
【技術分野】
【０００１】
本発明は、電子機器及び情報表示プログラムに関する。
【背景技術】
【０００２】
従来から、辞書機能を有する電子辞書などの電子機器においては、各見出し語と見出し語の説明情報とを対応付けて記憶する辞書データベースが複数種類備えられており、入力された文字に対応する見出し語の説明情報をユーザ指定の辞書データベースから読み出して、見出し語と説明情報とを表示させるようになっている。
【０００３】
このような電子機器として、いわゆるヒストリ機能を備えたものがある。ヒストリ機能とは、説明情報の検索された見出し語を辞書データベースの種類ごとに蓄積記憶しておき、ユーザ操作に応じて、辞書ごとの検索履歴を一覧表示する機能である。更に、このようなヒストリ機能を備えた電子機器においては、検索履歴から単語の使用頻度を算出してユーザの学習に役立てる技術が提案されている（例えば、特許文献１参照）。
【０００４】
ところで、近年の電子機器では、ユーザからの要望に応えて、上述のヒストリ機能の他に、用例表示機能やジャンプ検索機能など、学習を補助するための多くの機能が電子機器に内蔵されるようになっている。ここで、用例表示機能とは、説明情報の表示されている見出し語の用例をユーザ操作に基づいて表示させる機能であり、ジャンプ検索機能とは、説明情報等のテキストが表示されている際に当該テキスト中の単語をジャンプ対象単語としてユーザが選択した後、所望の辞書データベースを選択すると、ジャンプ対象単語に対応する見出し語が当該辞書データベースで検索される機能のことである。
【先行技術文献】
【特許文献】
【０００５】
【特許文献１】特開２００６‐２２８０４４号公報
【発明の概要】
【発明が解決しようとする課題】
【０００６】
しかしながら、従来の電子機器では、内蔵される機能が多くなっても、十分に活用されていない機能が存在していることをユーザは知り得ないため、学習効率が向上しないという問題がある。
【０００７】
本発明の課題は、内蔵されている機能を有効に利用させることのできる電子機器及び情報表示プログラムを提供することである。
【課題を解決するための手段】
【０００８】
請求項１記載の発明は、電子機器において、
表示手段と、
各見出し語に対し、テキストを含む説明情報を対応付けてなる辞書情報を記憶する辞書記憶手段と、
前記辞書情報における見出し語のうち、ユーザ操作に基づいて指定される指定見出し語の説明情報を当該辞書情報から検索して表示させる説明情報表示制御手段と、
ユーザによる学習を補助する複数の学習補助機能を実行する学習補助機能実行手段と、
各学習補助機能の使用数を記憶する使用数記憶手段と、
前記複数の学習補助機能のうち、何れかの学習補助機能の使用割合が所定の閾値を超えた場合に、ユーザの注意を喚起する旨のメッセージを前記表示手段に表示させる報知手段と、
を備えることを特徴とする。
【０００９】
請求項２記載の発明は、請求項１記載の電子機器において、
前記辞書記憶手段は、
複数種類の前記辞書情報を記憶しており、
前記説明情報表示制御手段は、
ユーザ操作に基づいて前記複数種類の辞書情報のうち、何れかの辞書情報を検索対象に設定する辞書設定手段を有するとともに、
前記検索対象の辞書情報における見出し語のうち、前記指定見出し語の説明情報を当該検索対象の辞書情報から検索して表示させ、
前記使用数記憶手段は、
各辞書情報について検索に使用された回数を記憶する辞書使用数記憶手段を有し、
前記報知手段は、
前記複数の辞書情報のうち、何れかの辞書情報の使用割合が所定の閾値を超えた場合に、ユーザの注意を喚起する旨のメッセージを前記表示手段に表示させることを特徴とする。
【００１０】
請求項３記載の発明は、請求項１または２記載の電子機器において、
前記辞書記憶手段は、
複数種類の前記辞書情報を記憶しており、
前記辞書情報には、各見出し語に対し、当該見出し語の用例が対応付けて記憶されており、
前記複数の学習補助機能は、
前記表示手段に説明情報の表示されている見出し語の用例をユーザ操作に基づいて前記表示手段に表示させる用例表示機能と、
前記表示手段に表示されたテキスト中の単語のうち、ユーザ操作に基づいて指定される単語に対応する見出し語を、前記複数種類の辞書情報のうち、ユーザ指定の辞書情報から読み出し、読み出した見出し語の説明情報を前記表示手段に表示させるジャンプ検索機能と、
を有することを特徴とする。
【００１１】
請求項４記載の発明は、情報表示プログラムにおいて、
表示手段を有するコンピュータに、
各見出し語に対し、テキストを含む説明情報を対応付けてなる辞書情報を記憶する辞書記憶機能と、
前記辞書情報における見出し語のうち、ユーザ操作に基づいて指定される指定見出し語の説明情報を当該辞書情報から検索して表示させる説明情報表示制御機能と、
ユーザによる学習を補助する複数の学習補助機能と、
各学習補助機能の使用数を記憶する使用数記憶機能と、
前記複数の学習補助機能のうち、何れかの学習補助機能の使用割合が所定の閾値を超えた場合に、ユーザの注意を喚起する旨のメッセージを前記表示機能に表示させる報知機能と、
を実現させることを特徴とする。
【発明の効果】
【００１２】
本発明によれば、ユーザによる学習を補助する複数の学習補助機能のうち、何れかの学習補助機能の使用割合が所定の閾値を超えた場合に、ユーザの注意を喚起する旨のメッセージが表示されるので、十分に活用されていない機能が存在していることをユーザに知らせることができる。従って、内蔵されている機能をユーザに有効に利用させることができる。
【図面の簡単な説明】
【００１３】
【図１】電子辞書の概観を示す平面図である。
【図２】電子辞書の内部構成を示すブロック図である。
【図３】（ａ）は辞書データベースの辞書分類を示す図であり、（ｂ）は辞書データベースのデータ構造を示す図であり、（ｃ）は使用数記憶テーブルのデータ構造を示す図である。
【図４】分析パラメータ範囲テーブルのデータ構造を示す図である。
【図５】辞書検索処理を示すフローチャートである。
【図６】表示部の表示内容を示す図である。
【発明を実施するための形態】
【００１４】
以下、図面を参照して、本発明に係る電子機器を電子辞書に適用した場合の実施形態について詳細に説明する。
【００１５】
［外観構成］
図１は、電子辞書１の平面図である。
この図に示すように、電子辞書１は、メインディスプレイ１０、サブディスプレイ１１及びキー群２を備えている。
【００１６】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１７】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、シフトキー２ｆと、戻るキー２ｇと、ジャンプキー２ｈと、用例キー２ｉと、活用キー２ｊ等とを有している。
【００１８】
訳／決定キー２ｂは、検索の実行や、見出し語の決定等に使用されるキーである。文字キー２ｃは、ユーザによる文字の入力等に使用されるキーであり、本実施の形態においては“Ａ”〜“Ｚ”キーを備えている。辞書選択キー２ｄは、後述の辞書データベース８２０，…（図２参照）の選択に使用されるキーである。
【００１９】
カーソルキー２ｅは、画面内の反転表示位置、つまりカーソル位置の移動等に使用されるキーであり、本実施の形態においては上下左右の方向を指定可能となっている。シフトキー２ｆは、日本語の単語を検索対象に設定するとき等に使用されるキーである。戻るキー２ｇは、前回表示した画面に戻るとき等に使用されるキーである。
【００２０】
ジャンプキー２ｈは、ジャンプ検索機能を起動するときに使用されるキーである。なお、ジャンプ検索機能とは、説明情報が表示されている際に当該説明情報中の単語（以下、ジャンプ対象単語とする）をユーザが選択すると、そのジャンプ対象単語に対応する見出し語がジャンプ先、つまり再検索先の辞書で再度検索される機能のことである。
【００２１】
用例キー２ｉは、用例表示機能を実行するときに使用されるキーである。なお、用例表示機能とは、メインディスプレイ１０に説明情報の表示されている見出し語の用例をユーザ操作に基づいて表示させる機能である。活用キー２ｊは、電子辞書１の活用状況を確認する場合に使用されるキーである。
【００２２】
［内部構成］
続いて、電子辞書１の内部構造について説明する。図２は、電子辞書１の内部構成を示すブロック図である。
【００２３】
この図に示すように、電子辞書１は、表示部４０、入力部３０、ＣＰＵ（Central Processing Unit）２０、フラッシュＲＯＭ（Read Only Memory）８０、ＲＡＭ（Random Access Memory）９０を備え、各部はバス１００で相互にデータ通信可能に接続されて構成されている。
【００２４】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２５】
入力部３０は、上述のキー群２やタッチパネル１１０を備えており、押下されたキーやタッチパネル１１０の位置に対応する信号をＣＰＵ２０に出力するようになっている。
【００２６】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに表示部４０に適宜出力させる。
【００２７】
なお、本実施の形態におけるＣＰＵ２０は、フラッシュＲＯＭ８０内の各種プログラムに基づいて、ユーザによる学習を補助する複数の学習補助機能を実行するようになっており、より具体的には、上述の用例表示機能及びジャンプ検索機能などを実行するようになっている。
【００２８】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８１と、辞書データベース群８２と、使用数記憶テーブル８３と、分析パラメータ範囲テーブル８４とを記憶している。
【００２９】
情報表示プログラム８１は、後述の辞書検索処理（図５参照）をＣＰＵ２０に実行させるためのプログラムである。
【００３０】
辞書データベース群８２は、複数の辞書データベース８２０，…を有しており、本実施の形態においては、図３（ａ）に示すように、英語系，国語系，英会話系などの各辞書分類（ジャンル）について、それぞれ複数の辞書データベース８２０を有している。より具体的には、本実施の形態における辞書データベース群８２は、英語系の辞書データベース８２０として、「英和辞典」の辞書データベース８２０ａ、「英語類語辞典」の辞書データベース８２０ｂ、「現代英英辞典」の辞書データベース８２０ｃ、「スペリング事典」の辞書データベース８２０ｄ、「和英辞典」の辞書データベース８２０ｅを有しており、国語系の辞書データベース８２０として、「国語大辞典」の辞書データベース８２０ｆ、「新国語辞典」の辞書データベース８２０ｇ、「新漢字辞典」の辞書データベース８２０ｈ、「類語例解辞典」の辞書データベース８２０ｉ、「カタカナ語辞典」の辞書データベース８２０ｊを有しており、英会話系の辞書データベース８２０として、「英会話なるほど辞典」の辞書データベース８２０ｋ、「英会話ビジネス辞典」の辞書データベース８２０ｌ、「英会話海外旅行辞典」の辞書データベース８２０ｍ、「英会話表現辞典」の辞書データベース８２０ｎ、「初歩の英会話」の辞書データベース８２０ｏを有している。なお、図３（ａ）中、左側の「Ｎｏ．」欄の数字は各辞書データベース８２０の識別番号を示しており、左から２番目の「分類Ｎｏ．」欄の数字は各辞書分類の識別番号を示している。
【００３１】
これら辞書データベース８２０には、例えば図３（ｂ）に１例を示すように、複数の見出し語に対して、この見出し語の意味内容等からなる説明情報や、見出し語の例文（用例）を識別するための用例番号などが対応付けされて格納されている。なお、本実施の形態における用例番号は、フラッシュＲＯＭ８０内における例文の格納箇所を示すポインタとしても機能するようになっている。但し、各用例が見出し語に対応付けて辞書データベース８２０に格納されていても良い。
【００３２】
使用数記憶テーブル８３は、各辞書データベース８２０の使用数などを記憶するようになっている。より詳細には、使用数記憶テーブル８３は、図３（ｃ）に示すように、各辞書データベース８２０についてコンテンツ使用数（Ｆ）と、単語検索数（Ｓ）と、用例検索回数（Ｙ）と、ジャンプ元回数（ＪＯ）と、ジャンプ先回数（ＪＤ）とを記憶するとともに、辞書データベース８２０の辞書分類ごとに分類使用数（Ｂ）を記憶するようになっている。
【００３３】
ここで、コンテンツ使用数（Ｆ）とは、対応する辞書データベース８２０が検索に使用された回数であり、具体的には、辞書データベース８２０が見出し語検索のために選択辞書データベース８２０Ｓとして選択された回数と、ジャンプ先の辞書データベースとして選択された回数とを加算した値である。単語検索数（Ｓ）とは、対応する辞書データベース８２０内で検索された見出し語の延べ数である。用例検索回数（Ｙ）とは、対応する辞書データベース８２０内で用例が読み出された回数である。ジャンプ元回数（ＪＯ）とは、対応する辞書データベース８２０がジャンプ元となった回数、つまり、対応する辞書データベース８２０における説明情報の表示状態からジャンプ検索が行われた回数である。ジャンプ先回数（ＪＤ）とは、対応する辞書データベース８２０がジャンプ先の辞書データベース８２０となった回数である。分類使用数（Ｂ）とは、英語系、国語系、英会話系などの辞書分類のうち、対応する辞書分類に含まれる辞書データベース８２０の使用数の総和である。なお、図３（ｃ）中、添え字の「i」は辞書データベース８２０の識別番号（図３（ａ）の左側の欄参照）を示しており、添え字の「n」は辞書分類の識別番号（図３（ａ）の左から２番目の欄参照）を示している。
【００３４】
分析パラメータ範囲テーブル８４は、図４に示すように、辞書データベース８２０の使用傾向を表す各分析パラメータについて、所定の閾値と、閾値を超えた場合（上限閾値より大きくなる場合と、下限閾値より小さくなる場合とを含む）に表示させるべきメッセージとを対応付けて記憶している。
【００３５】
ここで、本実施の形態においては、分析パラメータとして用例使用頻度（ＹＦ）、ジャンプ使用頻度（ＪＯＦ）、ジャンプ参照頻度（ＪＤＦ）及び分類内使用頻度（ＢＦ）が用いられている。用例使用頻度（ＹＦ）とは、用例使用頻度（ＹＦ）＝用例検索回数（Ｙ）／単語検索数（Ｓ）で計算される値である。ジャンプ使用頻度（ＪＯＦ）とは、ジャンプ使用頻度（ＪＯＦ）＝ジャンプ元回数（ＪＯ）／単語検索数（Ｓ）で計算される値である。ジャンプ参照頻度（ＪＤＦ）とは、ジャンプ参照頻度（ＪＤＦ）＝ジャンプ先回数（ＪＤ）／コンテンツ使用数（Ｆ）で計算される値である。分類内使用頻度（ＢＦ）とは、分類内使用頻度（ＢＦ）＝コンテンツ使用数（Ｆ）／分類使用数（Ｂ）で計算される値である。
【００３６】
また、本実施の形態においては、上記の各分析パラメータのうち、用例使用頻度（ＹＦ）についての閾値（下限閾値）として「１０（％）」、ジャンプ使用頻度（ＪＯＦ）についての閾値（下限閾値）として「１０（％）」、ジャンプ参照頻度（ＪＤＦ）についての閾値（下限閾値）として「１０（％）」、分類内使用頻度（ＢＦ）についての閾値（上限閾値）として「９０（％）」が用いられている。
【００３７】
更に、本実施の形態においては、用例使用頻度（ＹＦ）が閾値「１０（％）」未満になった場合のメッセージとして、ユーザの注意を喚起して用例の参照を促すメッセージが用いられている。また、ジャンプ使用頻度（ＪＯＦ）が閾値「１０（％）」未満になった場合、及びジャンプ参照頻度（ＪＤＦ）が閾値「１０（％）」未満になった場合のメッセージとして、ユーザの注意を喚起してジャンプ検索を促すメッセージが用いられている。また、分類内使用頻度（ＢＦ）が閾値「９０（％）」より大きくなった場合のメッセージとして、ユーザの注意を喚起して他の辞書データベース８２０の使用を促すメッセージが用いられている。
【００３８】
なお、図４では、英語系の辞書データベース８２０についてのメッセージのみを図示しているが、各分析パラメータに対応するメッセージは辞書データベース８２０ごとに格納されることが好ましい。
【００３９】
ＲＡＭ９０は、ＣＰＵ２０が実行する各種プログラムや、これらプログラムの実行に係るデータ等を一時的に保持するメモリ領域を備えている。
【００４０】
［動作］
続いて、電子辞書１の動作について、図５を参照しつつ説明する。
図５は、ＣＰＵ２０が情報表示プログラム８１を読み出して実行する辞書検索処理の流れを示すフローチャートである。
【００４１】
この図に示すように、まず、フラッシュＲＯＭ８０における複数の辞書データベース８２０からユーザが任意の辞書データベース８２０を検索対象の辞書データベース８２０（以下、選択辞書データベース８２０Ｓとする）として選択すると（ステップＳ１）、ＣＰＵ２０は、選択辞書データベース８２０Ｓについてのコンテンツ使用数（Ｆ）に「１」を加えて使用数記憶テーブル８３内の情報を更新する（ステップＳ２）。
【００４２】
次に、ＣＰＵ２０は、ユーザにより検索語についての検索文字列が入力されるか否かを判定し（ステップＳ３）、入力されたと判定した場合（ステップＳ３；Ｙｅｓ）には、選択辞書データベース８２０Ｓから検索文字列に対応する見出し語を検索し（ステップＳ４）、検索された見出し語の説明情報を当該選択辞書データベース８２０Ｓから読み出してメインディスプレイ１０に表示させる（ステップＳ５）。また、このときＣＰＵ２０は、説明情報の表示された見出し語に対応付けて選択辞書データベース８２０Ｓに用例が記憶されている場合には、その旨を示す用例マーク（図示せず）をメインディスプレイ１０に表示させる。
【００４３】
次に、ＣＰＵ２０は、選択辞書データベースについての単語検索数（Ｓ）に「１」を加えて使用数記憶テーブル８３内の情報を更新した後（ステップＳ６）、ユーザにより用例キー２ｉが操作されるか否かを判定する（ステップＳ７）。
【００４４】
このステップＳ７において用例キー２ｉが操作されないと判定した場合（ステップＳ７；Ｎｏ）には、ＣＰＵ２０は、ユーザによりジャンプキー２ｈが操作されるか否かを判定し（ステップＳ８）、操作されないと判定した場合（ステップＳ８；Ｎｏ）には、上述のステップＳ３に移行する。
【００４５】
また、ステップＳ８においてジャンプキー２ｈが操作されたと判定した場合（ステップＳ８；Ｙｅｓ）には、ＣＰＵ２０は、ジャンプ検索機能を実行してジャンプ処理を行う（ステップＳ９）。具体的には、このステップＳ９においてＣＰＵ２０は、メインディスプレイ１０における説明情報のテキスト内にカーソルを表示させた後、ユーザにテキスト中の何れかの単語をジャンプ対象単語として指定させる。次に、ＣＰＵ２０は、フラッシュＲＯＭ８０における辞書データベース８２０のうち、ジャンプ対象単語の言語を見出し語として含む辞書データベース８２０を検出してメインディスプレイ１０に一覧表示させる。そして、ユーザが何れかの辞書データベース８２０をジャンプ先として選択すると、ＣＰＵ２０は、指定された辞書データベース８２０から、ジャンプ対象単語に対応する見出し語の説明情報を読み出してメインディスプレイ１０に表示させ、ジャンプ処理を終了する。
【００４６】
以上のジャンプ処理が終了したら、次にＣＰＵ２０は、ジャンプ元の辞書データベース８２０についてのジャンプ元回数（ＪＯ）と、ジャンプ先の辞書データベース８２０についてのジャンプ先回数（ＪＤ）及びコンテンツ使用数（Ｆ）とにそれぞれ「１」を加えて使用数記憶テーブル８３内の情報を更新し（ステップＳ１０）、辞書検索処理を終了する。
【００４７】
また、上述のステップＳ７において用例キー２ｉが操作されたと判定した場合（ステップＳ７；Ｙｅｓ）には、ＣＰＵ２０は、用例表示機能を実行することにより、説明情報の表示されている見出し語に対応付けて記憶された用例を選択辞書データベース８２０Ｓから読み出してメインディスプレイ１０に表示させた後（ステップＳ１１）、選択辞書データベース８２０Ｓについての用例検索回数（Ｙ）に「１」を加えて使用数記憶テーブル８３内の情報を更新し（ステップＳ１２）、辞書検索処理を終了する。
【００４８】
また、上述のステップＳ３において検索文字列が入力されないと判定した場合（ステップＳ３；Ｎｏ）には、ＣＰＵ２０は、ユーザにより活用キー２ｊが操作されるか否かを判定し（ステップＳ２１）、操作されないと判定した場合（ステップＳ２１；Ｎｏ）には、他の処理へ移行する。
【００４９】
また、このステップＳ２１において活用キー２ｊが操作されたと判定した場合（ステップＳ２１；Ｙｅｓ）には、ＣＰＵ２０は、選択辞書データベース８２０Ｓの含まれる辞書分類における各辞書データベース８２０のコンテンツ使用数（Ｆ）をメインディスプレイ１０にグラフ表示させる（ステップＳ２２）。
【００５０】
次に、ＣＰＵ２０は、ユーザにより戻るキー２ｇが操作されるか否かを判定し（ステップＳ２３）、操作されたと判定した場合（ステップＳ２３；Ｙｅｓ）には、上述のステップＳ３に移行する。
【００５１】
また、ステップＳ２３において戻るキー２ｇが操作されないと判定した場合（ステップＳ２３；Ｎｏ）には、ＣＰＵ２０は、電子辞書１の使用傾向の分析を要求するユーザ操作が行われるか否かを判定し（ステップＳ２４）、行われないと判定した場合（ステップＳ２４；Ｎｏ）には、上述のステップＳ２３に移行する。
【００５２】
また、ステップＳ２４において分析を要求するユーザ操作が行われたと判定した場合（ステップＳ２４；Ｙｅｓ）には、ＣＰＵ２０は、使用数記憶テーブル８３内の情報に基づいて、選択辞書データベース８２０Ｓについての使用傾向の分析パラメータとして、用例使用頻度（ＹＦ）、ジャンプ使用頻度（ＪＯＦ）、ジャンプ参照頻度（ＪＤＦ）及び分類内使用頻度（ＢＦ）を計算し、結果をメインディスプレイ１０に表示させる（ステップＳ２５）。
【００５３】
次に、ＣＰＵ２０は、各分析パラメータの値と、分析パラメータ範囲テーブル８４において対応付けられた各閾値の値とを比較して、閾値を超えた分析パラメータがあるか否かを判定し（ステップＳ２６）、ないと判定した場合（ステップＳ２６；Ｎｏ）には、上述のステップＳ２３に移行する。
【００５４】
また、ステップＳ２３において閾値を超えた分析パラメータがあると判定した場合（ステップＳ２６；Ｙｅｓ）には、ＣＰＵ２０は、当該分析パラメータに分析パラメータ範囲テーブル８４内で対応付けられたメッセージ、つまりユーザの注意を喚起するメッセージをメインディスプレイ１０に表示させた後（ステップＳ２７）、上述のステップＳ２３に移行する。これにより、分析結果に基づいた電子辞書１の活用アドバイスがユーザに提示されることとなる。
【００５５】
（動作例）
続いて、図６を参照しつつ、上記の辞書検索処理を具体的に説明する。
【００５６】
まず図６（ａ），（ｂ）に示すように、ユーザが英語系の何れかの辞書データベース８２０を選択した後（ステップＳ１）、活用キー２ｊを操作すると（ステップＳ２１；Ｙｅｓ）、選択辞書データベース８２０Ｓの含まれる辞書分類「英語系」における各辞書データベース８２０のコンテンツ使用数（Ｆ）がメインディスプレイ１０にグラフ表示される（ステップＳ２２）。なお、本動作例においては、このときメインディスプレイ１０の上部には辞書分類の名称が一覧表示されており、これらの名称部分に対するタッチ操作によって、他の辞書分類における辞書データベース８２０のコンテンツ使用数（Ｆ）をメインディスプレイ１０に表示させることができるようになっている。また、このときメインディスプレイ１０の下部には、使用傾向の分析を要求するための分析指示ボタン１０１が表示されるようになっている。
【００５７】
次に、ユーザが分析指示ボタン１０１にタッチすると（ステップＳ２４；Ｙｅｓ）、用例使用頻度（ＹＦ）、ジャンプ使用頻度（ＪＯＦ）、ジャンプ参照頻度（ＪＤＦ）及び分類内使用頻度（ＢＦ）が計算されてメインディスプレイ１０に表示される（ステップＳ２５）。
【００５８】
そして、用例使用頻度（ＹＦ）の分析パラメータが下限閾値「１０」を超えたと判定され（ステップＳ２６；Ｙｅｓ）、当該分析パラメータに分析パラメータ範囲テーブル８４内で対応付けられたメッセージ（図４の最上段参照）がメインディスプレイ１０に表示される（ステップＳ２７）。
【００５９】
以上の電子辞書１によれば、図４のステップＳ２７、図６（ｄ）等に示したように、ジャンプ検索機能や用例表示機能など、ユーザによる学習を補助する複数の学習補助機能のうち、何れかの学習補助機能の使用割合が所定の閾値を超えた場合に、ユーザの注意を喚起する旨のメッセージが表示されるので、十分に活用されていない機能が存在していることをユーザに知らせることができる。従って、内蔵されている機能をユーザに有効に利用させることができる。
【００６０】
また、図４のステップＳ２７や図４の最下段などに示したように、複数の辞書データベース８２０のうち、何れかの辞書データベース８２０の使用割合が所定の閾値を超えた場合に、ユーザの注意を喚起する旨のメッセージが表示されるので、十分に活用されていない辞書データベース８２０が存在していることをユーザに知らせることができる。従って、内蔵されている辞書データベース８２０をユーザに有効に利用させることができる。
【００６１】
なお、本発明を適用可能な実施形態は、上述した実施形態に限定されることなく、本発明の趣旨を逸脱しない範囲で適宜変更可能である。
【００６２】
例えば、本発明に係る電子機器を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム８１は、電子辞書１に対して着脱可能なメモリカード、ＣＤ等に記憶されることとしてもよい。
【００６３】
また、選択辞書データベース８２０Ｓにおける説明情報が表示された状態からジャンプ処理を行った場合にジャンプ元回数（ＪＯ）やジャンプ先回数（ＪＤ）、コンテンツ使用数（Ｆ）を更新することとして説明したが、電子辞書１におけるテキストコンテンツが表示された状態からジャンプ処理を行った場合にも、同様に更新を行うことが好ましい。
【符号の説明】
【００６４】
１      電子辞書
２０    ＣＰＵ
３０    入力部
４０    表示部
８１    情報表示プログラム
８２０  辞書データベース
【図１】
2011118718.tif 000003
【図２】
2011118718.tif 000004
【図３】
2011118718.tif 000005
【図４】
2011118718.tif 000006
【図５】
2011118718.tif 000007
【図６】
2011118718.tif 000008